(57)【要約】【課題】リン含有バイオマスを乾燥することによって得られる水蒸気を有効活用することができる水素製造方法および水素製造装置を提供する。【解決手段】水素製造装置は、脱水装置（１）と、乾燥装置（２）と、熱分解装置（３）と、燃焼装置（５）と、熱交換装置（９）と、を含み、熱分解装置（３）は、熱交換装置（９）による熱交換の結果得られた過熱蒸気の一部を熱分解に用いる。【選択図】図１
2020128326.tif 000002
【特許請求の範囲】
【請求項１】
リン含有バイオマスから水素を製造する水素製造方法であって、
前記リン含有バイオマスを脱水する脱水工程と、
前記脱水工程で得られた脱水汚泥に含まれる水分を蒸発させる乾燥工程と、
前記乾燥工程で得られた乾燥汚泥を、水蒸気の存在下で熱分解する熱分解工程と、
前記熱分解工程で得られた熱分解固体生成物を燃焼する燃焼工程と、
前記乾燥工程で得られた水蒸気と、前記燃焼工程で排出された燃焼ガスとの間で熱交換する熱交換工程と、を含み、
前記熱分解工程では、前記熱交換工程における熱交換の結果得られた過熱蒸気の一部を熱分解に用いる水素製造方法。
【請求項２】
前記乾燥工程では、前記熱分解工程で利用されなかった過熱蒸気を熱媒として用いる、請求項１に記載の水素製造方法。
【請求項３】
前記乾燥工程では、直接加熱型乾燥機を用いる、請求項１または２に記載の水素製造方法。
【請求項４】
前記乾燥工程では、前記乾燥汚泥の含水率を３重量％〜３０重量％とする、請求項１〜３の何れか一項に記載の水素製造方法。
【請求項５】
前記乾燥工程よりも前に、前記リン含有バイオマスを脱水して、含水率を７０重量％〜８０重量％とする脱水工程をさらに含む、請求項１〜４の何れか一項に記載の水素製造方法。
【請求項６】
前記熱分解工程で得られた可燃性ガスから、酸化カルシウムを用いた水蒸気改質によって、前記可燃性ガスよりも水素濃度を高めた可燃性ガスを製造する改質工程をさらに含む、請求項１〜５の何れか一項に記載の水素製造方法。
【請求項７】
前記リン含有バイオマスに無機カルシウム化合物を混合する混合工程をさらに含む、請求項１〜６の何れか一項に記載の水素製造方法。
【請求項８】
前記燃焼工程で得られた燃焼生成物からリン含有灰を分離する灰分分離工程をさらに含む、請求項１〜７の何れか一項に記載の水素製造方法。
【請求項９】
リン含有バイオマスから水素を製造する水素製造装置であって、
前記リン含有バイオマスを脱水する脱水装置と、
前記脱水装置で得られた脱水汚泥に含まれる水分を蒸発させる乾燥装置と、
前記乾燥装置で得られた乾燥汚泥を、水蒸気の存在下で熱分解する熱分解装置と、
前記熱分解装置で得られた熱分解固体生成物を燃焼する燃焼装置と、
前記乾燥装置で得られた水蒸気と、前記燃焼装置で排出された燃焼ガスとの間で熱交換する熱交換装置と、を含み、
前記熱分解装置は、前記熱交換装置による熱交換の結果得られた過熱蒸気の一部を熱分解に用いる水素製造装置。
【発明の詳細な説明】
【技術分野】
【０００１】
本発明は、例えば、下水処理場で発生する下水汚泥、し尿処理場で発生するし尿汚泥、肉骨粉、畜糞等のリン含有バイオマスから水素を製造する、水素製造方法および水素製造装置に関する。
【背景技術】
【０００２】
バイオマス原料から液体燃料を製造する方法として、従来、水蒸気を系外から供給する方法が知られている。
【０００３】
例えば、特許文献１には、バイオマス原料から液体燃料を製造するために、補助燃料として石炭をガス化塔に供給する三塔式循環流動層によるガス化方法およびガス化装置が記載されている。当該ガス化方法および当該ガス化装置では、流動ガス化用水蒸気を系外から供給している。
【０００４】
特許文献２には、汚泥等の湿潤した被乾燥物から発生する水蒸気を含む高温気体を循環供給するようにした乾燥装置が記載されている。
【先行技術文献】
【特許文献】
【０００５】
【特許文献１】特開２０１４−２４０４７２号公報
【特許文献２】特開２００８−１５１４３０号公報
【発明の概要】
【発明が解決しようとする課題】
【０００６】
しかしながら、特許文献１に記載の方法においては、水蒸気を系外からガス化塔に供給しているため、供給する水蒸気を製造するためのエネルギーが別途必要であるという問題がある。
【０００７】
本発明の一態様は、リン含有バイオマスを乾燥することによって得られる水蒸気を有効活用することができる水素製造方法および水素製造装置を提供することを、主たる目的とする。
【課題を解決するための手段】
【０００８】
本発明者らは、熱交換工程における熱交換の結果得られた過熱蒸気の一部を熱分解工程において熱分解に用いることにより、乾燥水蒸気を有効活用することができることに想到し、本発明を完成させた。
【０００９】
本発明の一態様に係る水素製造方法は、リン含有バイオマスから水素を製造する水素製造方法であって、前記リン含有バイオマスを脱水する脱水工程と、前記脱水工程で得られた脱水汚泥に含まれる水分を蒸発させる乾燥工程と、前記乾燥工程で得られた乾燥汚泥を、水蒸気の存在下で熱分解する熱分解工程と、前記熱分解工程で得られた熱分解固体生成物を燃焼する燃焼工程と、前記乾燥工程で得られた水蒸気と、前記燃焼工程で排出された燃焼ガスとの間で熱交換する熱交換工程と、を含み、前記熱分解工程では、前記熱交換工程における熱交換の結果得られた過熱蒸気の一部を熱分解に用いる。
【００１０】
本発明の一態様に係る水素製造装置は、リン含有バイオマスから水素を製造する水素製造装置であって、前記リン含有バイオマスを脱水する脱水装置と、前記脱水装置で得られた脱水汚泥に含まれる水分を蒸発させる乾燥装置と、前記乾燥装置で得られた乾燥汚泥を、水蒸気の存在下で熱分解する熱分解装置と、前記熱分解装置で得られた熱分解固体生成物を燃焼する燃焼装置と、前記乾燥装置で得られた水蒸気と、前記燃焼装置で排出された燃焼ガスとの間で熱交換する熱交換装置と、を含み、前記熱分解装置は、前記熱交換装置による熱交換の結果得られた過熱蒸気の一部を熱分解に用いる。
【発明の効果】
【００１１】
本発明の一態様によれば、リン含有バイオマスを乾燥することによって得られる水蒸気を有効活用することができる。
【図面の簡単な説明】
【００１２】
【図１】本発明の一実施形態に係る水素製造装置の概略の構成を示すブロック図である。
【発明を実施するための形態】
【００１３】
以下、本発明の実施の形態の一例について詳細に説明するが、本発明は、これらに限定されない。以下の各項目で記載した内容は、他の項目においても適宜援用できる。本発明は下記の各実施形態に限定されるものではなく、請求項に示した範囲で種々の変更が可能である。従って、異なる実施形態にそれぞれ開示されている技術的手段を適宜組み合わせて得られる実施形態についても、本発明の技術的範囲に含まれる。
【００１４】
本明細書において特記しない限り、数値範囲を表す「Ａ〜Ｂ」は、「Ａ以上、Ｂ以下」を意味する。本明細書中に記載された学術文献および特許文献のすべてが、本明細書中において参考文献として援用される。
【００１５】
〔水素製造装置〕
本発明の一実施の形態における水素製造装置は、リン含有バイオマスから水素を製造する水素製造装置であって、前記リン含有バイオマスを脱水する脱水装置と、前記脱水装置で得られた脱水汚泥に含まれる水分を蒸発させる乾燥装置と、前記乾燥装置で得られた乾燥汚泥を、水蒸気の存在下で熱分解する熱分解装置と、前記熱分解装置で得られた熱分解固体生成物を燃焼する燃焼装置と、前記乾燥装置で得られた水蒸気と、前記燃焼装置で排出された燃焼ガスとの間で熱交換する熱交換装置と、を少なくとも含む構成である。前記熱分解装置は、前記熱交換装置による熱交換の結果得られた過熱蒸気の一部を熱分解に用いる。
【００１６】
前記水素製造装置に供給されるリン含有バイオマスとしては、例えば、下水処理場で発生する下水汚泥、し尿処理場で発生するし尿汚泥、肉骨粉、畜糞等のリン含有バイオマスが挙げられる。リン含有バイオマスに含まれるリンの形態としては、例えば、生体由来の有機性リン、リン酸態リン等が挙げられる。但し、リン含有バイオマスは、前記例示のリン含有バイオマスに限定されない。尚、以下の説明においては、リン含有バイオマスとして、下水汚泥やし尿汚泥である汚泥スラリーを例に挙げることとする。
【００１７】
本発明の一実施の形態における水素製造装置は、図１に示すように、脱水装置１、乾燥装置２、熱分解装置３、改質装置４、燃焼装置５、灰分分離装置６を少なくとも備えている。各装置は、水素の製造を連続的に行うことができるように、搬送機能を具備した装置（図示しない）で互いに連結されている。つまり、前記水素製造装置は、水素の製造を連続的に行うことができるように、複数の流動層装置から構成されている。但し、本発明の水素製造装置は、流動床式の製造装置に限定されない。
【００１８】
以下、本発明の一実施の形態における水素製造装置を構成する各装置に関して、図１を参照しながら説明する。
【００１９】
＜脱水装置１＞
脱水装置１は、汚泥スラリー供給路１１を通じて供給される汚泥スラリー（リン含有バイオマス）から水分を含む分離液を除去して脱水汚泥とした後、得られた脱水汚泥を、脱水汚泥供給路１２を通じて乾燥装置２に供給する。また、脱水装置１は、水分を含む分離液を、分離液排出路（図示しない）を通じて外部に排出する。
【００２０】
脱水装置１は、汚泥スラリーから水分を含む分離液を除去することができる装置であればよく、例えば、ベルトプレス等の加圧式脱水機、または遠心脱水機等の機械的脱水機が挙げられる。
【００２１】
さらに、脱水装置１は、汚泥スラリーに、無機カルシウム化合物供給路（図示しない）から供給される無機カルシウム化合物を混合する混合装置としての機能を兼ね備えていることが好ましい。その場合、乾燥装置２に供給される脱水汚泥は、汚泥スラリーと無機カルシウム化合物との混合物である。
【００２２】
汚泥スラリーに無機カルシウム化合物を混合する時期は、汚泥スラリーから分離液を除去する前であってもよく、除去する途中の段階であってもよく、除去した後であってもよく、さらに、これら時期を複数組み合わせてもよい。但し、以下に示すように、無機カルシウム化合物は脱水助剤として作用することから、分離液を除去する前に、汚泥スラリーに無機カルシウム化合物を混合することがより好ましい。
【００２３】
下水処理場で発生する下水汚泥、し尿処理場で発生するし尿汚泥等のリン含有バイオマス（汚泥スラリー）の脱水によって得られる脱水汚泥の含水率は、７０重量％〜８０重量％程度の範囲である。無機カルシウム化合物等を脱水助剤として使用する場合は、脱水汚泥の含水率を、７０重量％〜７５重量％の範囲に調整することができる。脱水汚泥の含水率は、下記式（１）によって算出することができる。
【００２４】
（脱水汚泥の含水率（重量％））＝（脱水汚泥中の水分量（ｔ／ｄ））／（脱水汚泥（Ｗ．Ｂ．（ウェットベース））の量（ｔ／ｄ））×１００    …（１）
脱水汚泥中の水分量の測定方法は、実施例に詳細に説明する。
【００２５】
（無機カルシウム化合物）
無機カルシウム化合物は、リン酸三カルシウム「Ｃａ３（ＰＯ４）２」のカルシウム源になると共に、汚泥スラリーの脱水を促進する脱水助剤としても作用する。従って、汚泥スラリーに無機カルシウム化合物を添加することにより、通常の脱水方法よりも脱水性を向上させることができる。
【００２６】
無機カルシウム化合物は、炭酸カルシウム「ＣａＣＯ３」、消石灰「Ｃａ（ＯＨ）２」、生石灰「ＣａＯ」、およびドロマイト「Ｃａ・Ｍｇ（ＣＯ３）２」から選択される少なくとも一つであることが好ましい。無機カルシウム化合物の粒径は、２００μｍ〜５００μｍであることが好ましい。
【００２７】
無機カルシウム化合物は、脱水助剤として作用する他に、流動媒体、二酸化炭素吸収媒体、ガス化プロセスの熱源（顕熱媒体および二酸化炭素吸収反応熱）およびリン溶融防止剤等の複数の役割を果たす。さらに、無機カルシウム化合物は、高濃度の水素の製造にも寄与するという二次的な機能も併せ持つ。
【００２８】
前記無機カルシウム化合物は、水素製造装置に供給される全量が脱水装置１に供給されてもよく、その一部が、後述するように、熱分解装置３、改質装置４、燃焼装置５の何れに供給されてもよい。
【００２９】
汚泥スラリーに混合する無機カルシウム化合物の添加量Ｗ（モル／ｋｇ−乾燥重量（ＤＳ））は、量論的には下記式（２）の通りである。つまり、当該添加量Ｗは、汚泥スラリー中のリンおよび硫黄分を、リン酸三カルシウム「Ｃａ３（ＰＯ４）２」および石膏「ＣａＳＯ４」として回収することができる量以上であればよい。
【００３０】
Ｗ（モル／ｋｇ−ＤＳ） ≧ （３／２）×Ｐ（モル／ｋｇ−ＤＳ） ＋ Ｓ（モル／ｋｇ−ＤＳ）    …（２）
従って、汚泥スラリーに混合する無機カルシウム化合物の添加量は、式（２）を満足する量であればよく、特に限定されない。具体的には、汚泥スラリー（リン含有バイオマス）乾燥重量１ｋｇ当たり、０．０６ｋｇ〜０．８ｋｇ、より好ましくは０．１ｋｇ〜０．５ｋｇの無機カルシウム化合物を混合すればよい。特に、汚泥スラリーに対して無機カルシウム化合物を過剰に混合することによって、リン化合物の溶融による焼却炉への付着およびそれに伴う焼却炉の閉塞をより効果的に防止することができる。
【００３１】
＜乾燥装置２＞
乾燥装置２は、脱水装置１から供給された脱水汚泥を加熱し、水分を蒸発させて乾燥汚泥とする。乾燥装置２は、後述する熱交換装置９による熱交換の結果得られた過熱蒸気のうち、後述する熱分解装置３で利用されなかった過熱蒸気を熱媒（熱源）として用いる。これにより、過熱蒸気を有効活用することができる。乾燥装置２は、蒸発させた水分を、乾燥水蒸気として、乾燥水蒸気供給路２２を通じて熱交換装置９に供給する。尚、本明細書中において、「乾燥水蒸気」とは、脱水装置１から供給された、脱水汚泥に含まれる水分を蒸発させて得られた水蒸気を意図する。
【００３２】
そして、乾燥装置２は、乾燥汚泥を、乾燥汚泥供給路１３を通じて熱分解装置３に供給する。また、乾燥装置２は、必要に応じて、水分が除去されて乾燥された乾燥汚泥の一部を、熱源用乾燥汚泥供給路１４を通じて燃焼装置５に供給する。燃焼装置５に供給された乾燥汚泥は、熱源として燃焼される。
【００３３】
乾燥装置２は、前記脱水汚泥を乾燥させることができる装置であればよく、直接加熱型乾燥機であることが好ましい。乾燥装置２が直接加熱型乾燥機であることにより、空気等の水蒸気以外の成分が混ざっていない過熱蒸気を得ることができる。これにより、乾燥装置２で得られた乾燥水蒸気を、熱交換装置９において乾燥水蒸気と燃焼ガスとの間で熱交換して過熱蒸気とし、熱分解装置３および乾燥装置２で用いることができる。
【００３４】
乾燥汚泥の含水率は、３重量％〜３０重量％であることが好ましく、５重量％〜２０重量％であることがより好ましく、１０重量％〜１５重量％であることがさらに好ましい。これにより、熱分解装置３の運転を安定化することができる。尚、乾燥汚泥の含水率の測定は、脱水汚泥の含水率の測定と同様の方法により行うことができる。
【００３５】
燃焼装置５に供給される乾燥汚泥中の固形分量は、汚泥スラリーに含有される固形分量に対して、５重量％〜５０重量％であることが好ましく、１０重量％〜４０重量％であることがより好ましく、１５重量％〜３５重量％であることがさらに好ましい。これにより、熱分解と燃焼とを効率的に行うことができる。
【００３６】
＜熱分解装置３＞
熱分解装置３は、乾燥汚泥を、水蒸気の存在下、４００℃〜９００℃、より好ましくは６００℃〜８００℃、さらに好ましくは７００℃程度で加熱しながら、０．１時間〜２時間、より好ましくは０．５時間〜１時間、滞留させることにより、熱分解する。熱分解装置３は、後述する熱交換装置９による熱交換の結果得られた過熱蒸気の一部を熱分解に用いる。つまり、熱分解装置３で用いる水蒸気は、過熱蒸気を含む。これにより、過熱蒸気を有効活用することができる。熱分解装置３は、熱分解して得た熱分解生成物のうち、熱分解固体生成物を、熱分解固体生成物供給路１８を通じて燃焼装置５に供給する。そして、熱分解装置３は、熱分解して得た熱分解生成物のうち、熱分解ガスである可燃性ガスを、可燃性ガス供給路２１を通じて改質装置４に供給する。また、熱分解装置３には、改質装置４から、供給路３０を通じて酸化カルシウム「ＣａＯ」が供給（循環）されると共に、必要に応じて、新たな無機カルシウム化合物の一部が供給される。また、熱分解装置３には、必要に応じて、再利用水供給路３１を通じて水が供給される。熱分解装置３に供給される水は、コンデンサ７および脱水装置１から排出された排水に濾過等の処理を施した再利用水であってもよい。これにより、外部から水を供給する必要がなく、排水を有効活用することができる。
【００３７】
熱分解装置３は、前記乾燥汚泥を熱分解することができる装置であればよく、その構成は特に限定されない。
【００３８】
前記熱分解装置３においては、下記反応により熱分解が行われ、可燃性ガスが生成する。即ち、乾燥汚泥は、下記式（３）に示す反応によって、水蒸気の存在下で熱分解され、熱分解ガスと、熱分解固体生成物とに転換される。熱分解ガスは、水素「Ｈ２」、一酸化炭素「ＣＯ」、二酸化炭素「ＣＯ２」、硫化水素「Ｈ２Ｓ」およびアンモニア「ＮＨ３」、並びに、メタン「ＣＨ４」、炭化水素系ガスおよびタール成分を含有する炭化水素系ガス「ＣｍＨｎ」を主成分として含む。熱分解固体生成物は、炭（charcoal）および灰分を含む。
【００３９】
乾燥汚泥（Ｃ，Ｈ，Ｏ，Ｎ，Ｓ） ＋ Ｈ２Ｏ → 熱分解ガス（Ｈ２，ＣＯ，ＣＯ２，ＣｍＨｎ，Ｈ２Ｓ，ＮＨ３） ＋ Ｃ（charcoal） ＋ 灰分    …（３）
ここで、灰分は、Ｐ，Ｓｉ，Ａｌ，Ｆｅ，Ｍｇ，Ｃａ，ＮａおよびＫ等を含有する化合物である。
【００４０】
また、炭（charcoal）の一部は、水蒸気と反応し、下記式（４）に示すように、二酸化炭素および水素に転換される。
【００４１】
Ｃ（charcoal） ＋ ２Ｈ２Ｏ → ＣＯ２ ＋ ２Ｈ２    …（４）
さらに、熱分解ガスに含まれる一酸化炭素は、水蒸気と反応し、下記式（５）に示すように、二酸化炭素に転換される。
【００４２】
ＣＯ ＋ Ｈ２Ｏ → ＣＯ２＋ Ｈ２    …（５）
前記熱分解ガスに含まれる硫化水素の大部分は、乾燥汚泥中の無機カルシウム化合物や、主に加熱によって生じた酸化カルシウムと反応し、下記式（６）に示すように、硫化カルシウムとなり、固定化される。このように熱分解ガスに含まれる硫化水素の大部分が硫化カルシウムとなって固定化されることにより、結果的に熱分解ガス中の水素濃度が高まる。
【００４３】
ＣａＯ ＋ Ｈ２Ｓ → ＣａＳ ＋ Ｈ２Ｏ    …（６）
そして、前記式（３）〜（５）に示す反応によって発生した二酸化炭素は、酸化カルシウムと反応し、下記式（７）に示すように、炭酸カルシウム「ＣａＣＯ３」となり、固定化される。式（７）に示す反応によって熱分解ガスから、二酸化炭素のみが酸化カルシウムに吸収されて引き抜かれるため、式（３）〜（５）に示す反応において右向きの平衡移動が起こり、結果的に高濃度の水素を含む可燃性ガスが生成される。
【００４４】
ＣａＯ ＋ ＣＯ２→ ＣａＣＯ３    …（７）
一方、熱分解固体生成物の灰分に含まれるリンは、熱分解装置３内で、無機カルシウム化合物と反応してリン酸三カルシウム「Ｃａ３（ＰＯ４）２」となる。本実施の形態においては、汚泥スラリーに混合する無機カルシウム化合物の添加量が極めて多く、熱分解装置３内（反応場）により多くのカルシウムが存在する。それゆえ、リンを、融点が１３９０℃の高融点リン化合物であるリン酸三カルシウムまで転換することができる。
【００４５】
従って、熱分解装置３における熱分解によって、前記乾燥汚泥から、リン酸三カルシウム、硫化カルシウム、炭（charcoal）、炭酸カルシウム、未反応の無機カルシウム化合物、および灰分等を含む固体成分である熱分解固体生成物が得られる。
【００４６】
前記リン酸三カルシウムは、リン鉱石資源の主成分であるため、鉱石資源として再利用することができる。また、リン酸三カルシウムの融点は１３９０℃と高いため、熱分解装置３および燃焼装置５における、リン化合物の溶融による焼却炉への付着およびそれに伴う焼却炉の閉塞を防止することができる。それゆえ、水素製造装置をより安定して連続運転することが可能となる。
【００４７】
＜改質装置４＞
改質装置４は、熱分解装置３から供給された可燃性ガスから、酸化カルシウムを用いた水蒸気改質を行うことによって、当該可燃性ガスよりも水素濃度を高めた第二の可燃性ガスを製造し、当該第二の可燃性ガスを、可燃性ガス排出路１７を通じて排出する。排出された第二の可燃性ガスは、熱交換器１０によって冷却され、高濃度の水素を含むガスとして回収される。熱交換器１０によって回収された熱は、燃焼用空気供給路２７を介して燃焼装置５に供給される。これにより、熱を有効活用することができる。
【００４８】
改質装置４は、熱分解装置３から供給された可燃性ガスを、８００℃〜１１００℃、より好ましくは８５０℃〜１０００℃、さらに好ましくは９５０℃程度で加熱しながら、０．５ｓ〜３ｓ、より好ましくは１ｓ〜２．５ｓ、滞留させることにより、水蒸気改質を行う。
【００４９】
また、改質装置４には、灰分分離装置６から、循環酸化カルシウム供給路２０を通じて酸化カルシウム「ＣａＯ」が供給（循環）されると共に、必要に応じて、新たな無機カルシウム化合物の一部が供給される。さらに、改質装置４は、供給路３０を通じて熱分解装置３に、酸化カルシウムを供給（循環）する。
【００５０】
改質装置４は、前記可燃性ガスを水蒸気改質することができる装置であればよく、その構成は特に限定されない。
【００５１】
前記改質装置４においては、下記反応により可燃性ガスの水蒸気改質が行われ、高濃度の水素が生成する。即ち、可燃性ガスは、水素および一酸化炭素、並びに、メタン「ＣＨ４」、炭化水素系ガスおよびタール成分を含有する炭化水素系ガス「ＣｍＨｎ」を含んでいる。可燃性ガスに含まれる炭化水素系ガスは、前記式（５）および下記式（８）に示すように、酸化カルシウムを触媒として、水蒸気改質によって水素および二酸化炭素に改質される。
【００５２】
ＣｍＨｎ＋ Ｈ２Ｏ → Ｈ２ ＋ ＣＯ２    …（８）
生成した二酸化炭素は、前記式（７）に示すように、酸化カルシウムに吸収される。これにより、可燃性ガスから、水素の濃度がさらに高められた第二の可燃性ガス、即ち、高濃度の水素を含むガスが得られる。第二の可燃性ガスは、高濃度の水素、ＣＯ２、および前記式（８）において未反応のまま残留したＣｍＨｎで構成される。尚、第二の可燃性ガスは、その一部をそのまま燃焼用ガスとして用いてもよいし、ＰＳＡ等のガス分離装置を用いて高濃度水素のみを分離した後のＣＯ２およびＣｍＨｎを主成分とするオフガスを燃焼用ガスとして用いてもよい。これにより、外部から供給する燃焼用ガスの量を削減することができる。
【００５３】
＜燃焼装置５＞
燃焼装置５は、熱分解装置３から供給された熱分解固体生成物を燃焼する。燃焼装置５は、燃焼して得た燃焼生成物のうち、燃焼固体生成物を、燃焼固体生成物供給路１９を通じて灰分分離装置６に供給する。燃焼装置５には、燃焼用空気供給路２７から熱交換器１０を介して、加熱された空気または酸素含有ガスが外部から供給される。また、燃焼装置５には、燃焼用ガス供給路２８を通じて、熱源となる燃焼用ガスを外部から供給してもよいし、前記第二の可燃性ガスの一部または前記オフガスを供給してもよい。また、燃焼装置５には、必要に応じて、新たな無機カルシウム化合物の一部が供給される。
【００５４】
燃焼装置５は、熱分解装置３から供給された熱分解固体生成物を、８５０℃〜１２００℃、より好ましくは９００℃〜１１５０℃、さらに好ましくは１１００℃程度で加熱しながら、０．１時間〜２時間、より好ましくは０．５時間〜１時間、滞留させることにより、燃焼する。
【００５５】
さらに、燃焼装置５には、必要に応じて、乾燥装置２から熱源用乾燥汚泥供給路１４を通じて乾燥汚泥が供給される。当該乾燥汚泥は、燃焼装置５において前記燃焼用ガスの燃焼による熱量だけで熱分解固体生成物の燃焼を行うことが困難である場合に、熱源として燃焼される。乾燥汚泥を燃焼させることにより、外部から供給される燃焼用ガスの量を削減することができるので、エネルギーの使用量を削減することができる。
【００５６】
燃焼装置５は、前記熱分解固体生成物を燃焼させることができる装置であればよく、その構成は特に限定されない。
【００５７】
前記燃焼装置５においては、下記反応により燃焼固体生成物および燃焼ガスが生成する。即ち、下記式（９）に示すように、空気または酸素含有ガスによって、熱分解固体生成物に含まれる炭（charcoal）は燃焼して二酸化炭素になる。また、下記式（１０）に示すように、熱分解固体生成物に含まれる炭酸カルシウムは酸化カルシウムになることにより再生される。また、下記式（１１）に示すように、空気または酸素含有ガスによって、熱分解固体生成物に含まれる硫化カルシウムは石膏（硫酸カルシウム）「ＣａＳＯ４」となる。
【００５８】
Ｃ（charcoal） ＋ Ｏ２ → ＣＯ２    …（９）
ＣａＣＯ３ → ＣａＯ ＋ ＣＯ２    …（１０）
ＣａＳ ＋ ２Ｏ２→ ＣａＳＯ４    …（１１）
前記式（９）および式（１１）に示す反応は発熱反応であり、当該反応で生じた反応熱は、循環される酸化カルシウムの顕熱となって、熱分解装置３、改質装置４および燃焼装置５の熱源として利用される。
【００５９】
燃焼装置５においては、前記式（９）〜（１１）に示す反応、および、必要に応じて乾燥装置２から供給された乾燥汚泥の燃焼によって、酸化カルシウム、リン酸三カルシウム、石膏および灰分等を含む固体成分である燃焼固体生成物が得られる。また、当該燃焼固体生成物と共に、高濃度の二酸化炭素が含まれた燃焼ガスが得られる。燃焼装置５は、燃焼して得た燃焼生成物のうち、燃焼ガスを、燃焼ガス排出路１５を通じて排出する。
【００６０】
＜熱交換装置９＞
熱交換装置９は、乾燥装置２で得られた乾燥水蒸気と、燃焼装置５で排出された燃焼ガスとの間で熱交換する。熱交換装置９は、乾燥水蒸気と燃焼ガスとの間で熱交換して得た過熱蒸気を、コンデンサ７と、熱分解装置３と、乾燥装置２とに供給する。過熱蒸気の一部は、過熱蒸気供給路２３を通じてコンデンサ７に供給される。コンデンサ７に供給された過熱蒸気は、コンデンサ７によって冷却されて凝縮し、排水として、排水排出路２９を通じて排出される。コンデンサ７に供給されなかった過熱蒸気のうち、一部は過熱蒸気供給路２３、熱分解兼乾燥用過熱蒸気供給路２４、熱分解用過熱蒸気供給路２５を通じて熱分解装置３に供給される。残りは、過熱蒸気供給路２３、熱分解兼乾燥用過熱蒸気供給路２４を通じて蒸気循環ファン８に供給される。蒸気循環ファン８は、乾燥装置２で得られた乾燥水蒸気、および熱交換装置９で得られた過熱蒸気を循環させるための装置である。蒸気循環ファン８に供給された乾燥水蒸気は、乾燥用過熱蒸気供給路２６を通じて乾燥装置２に供給される。これにより、過熱蒸気を有効活用することができる。それゆえ、水蒸気を系外から供給する必要がなく、系外から供給する水蒸気を製造するために必要なエネルギーの使用量を削減することができる。
【００６１】
熱交換装置９は、乾燥装置２で得られた乾燥水蒸気を、燃焼装置５で排出された燃焼ガスと熱交換することができる装置であればよく、その構成は特に限定されない。
【００６２】
＜灰分分離装置６＞
灰分分離装置６は、燃焼装置５から供給された燃焼固体生成物から、酸化カルシウムを主成分として含む粒子と、リン酸三カルシウム、石膏および灰分等を含む固体成分であるリン含有灰（酸化カルシウム以外の燃焼固体生成物）とを分離する。そして、灰分分離装置６は、前記リン含有灰を、リン含有灰排出路１６を通じて排出する。前記リン含有灰には、リン酸カルシウム化合物として、リン酸三カルシウム「Ｃａ３（ＰＯ４）２」の他に、Ｐ２Ｏ５，ＣａＰＯ４，Ｃａ（ＰＯ３）２，Ｃａ２Ｐ２Ｏ７，ＣａＨＰＯ４等が含まれている。尚、リン含有灰は、酸化カルシウムを主成分として含む粒子よりも粒度が小さい。
【００６３】
一方、灰分分離装置６は、酸化カルシウムを主成分として含む粒子を、循環酸化カルシウム供給路２０を通じて改質装置４に供給する。これにより、酸化カルシウムは、改質装置４、熱分解装置３、燃焼装置５および灰分分離装置６を循環し、繰り返し利用され、上述した複数の役割を果たす。
【００６４】
灰分分離装置６は、燃焼固体生成物を、酸化カルシウムを主成分として含む粒子と、それ以外の燃焼固体生成物とに分離することができる装置であればよく、例えばサイクロンが挙げられるものの、その構成は特に限定されない。
【００６５】
本実施の形態に係る水素製造装置は、リン酸三カルシウムを含むリン含有灰を回収してもよい。そのため、本実施の形態に係る水素製造装置は、リン含有灰排出路１６から供給された、リン酸三カルシウムを含むリン含有灰に酸を添加して、リン酸三カルシウムと反応させ、リン酸およびリン酸二水素カルシウム等の溶解性リン酸化合物を製造するリン酸製造装置（図示しない）をさらに備えていてもよい。
【００６６】
〔水素製造方法〕
本発明の一実施の形態における水素製造方法は、リン含有バイオマスから水素を製造する水素製造方法であって、前記リン含有バイオマスを脱水する脱水工程と、前記脱水工程で得られた脱水汚泥に含まれる水分を蒸発させる乾燥工程と、前記乾燥工程で得られた乾燥汚泥を、水蒸気の存在下で熱分解する熱分解工程と、前記熱分解工程で得られた熱分解固体生成物を燃焼する燃焼工程と、前記乾燥工程で得られた水蒸気と、前記燃焼工程で排出された燃焼ガスとの間で熱交換する熱交換工程と、を含み、前記熱分解工程では、前記熱交換工程における熱交換の結果得られた過熱蒸気の一部を熱分解に用いる方法である。
【００６７】
より具体的には、本発明の一実施の形態における水素製造方法は、主に、混合工程、脱水工程、乾燥工程、熱分解工程、改質工程、燃焼工程、熱交換工程、および灰分分離工程を含んでいる。また、前記水素製造方法は、水素の製造を連続的に行うことができるように、各工程の間に、搬送工程を含んでいる。
【００６８】
以下、本発明の一実施の形態における水素製造方法を構成する各工程に関して説明する。但し、上述した水素製造装置において説明した内容と重複する内容に関しては、その説明を簡略化または省略することとする。
【００６９】
＜混合工程および脱水工程＞
混合工程では、汚泥スラリー（リン含有バイオマス）に、上述した無機カルシウム化合物を混合する。混合工程と脱水工程とを行う順序は、特に限定されないものの、脱水工程の前に混合工程を行うことにより、通常の脱水方法よりも脱水性を向上させることができる。汚泥スラリーに混合する無機カルシウム化合物の添加量は、上述した通りである。尚、混合工程および脱水工程は、乾燥工程よりも前に行われる。
【００７０】
脱水工程では、前記混合工程で得られた汚泥スラリーと無機カルシウム化合物との混合物を脱水する。即ち、汚泥スラリーから水分を含む分離液を除去する。分離液を除去した混合物は、次の乾燥工程に供される。
【００７１】
尚、汚泥スラリーと無機カルシウム化合物とを混合する具体的な混合方法、並びに、汚泥スラリーと無機カルシウム化合物との混合物を脱水する具体的な脱水方法は、特に限定されない。
【００７２】
脱水工程では、汚泥スラリーを脱水して、脱水汚泥の含水率を７０重量％〜８０重量％とすることが好ましく、７０重量％〜７５重量％とすることがより好ましい。無機カルシウム化合物等を脱水助剤として使用する場合は、脱水汚泥の含水率を、７０重量〜７５重量％の範囲に調整することができる。
【００７３】
＜乾燥工程＞
乾燥工程では、脱水工程を経て得た前記脱水汚泥を加熱し、水分を蒸発させて乾燥汚泥とする。乾燥工程では、後述する熱交換工程における熱交換の結果得られた過熱蒸気のうち、後述する熱分解工程で利用されなかった過熱蒸気を熱媒として用いる。これにより、過熱蒸気を有効活用することができる。蒸発させた水分（乾燥水蒸気）は、熱交換工程に供される。
【００７４】
尚、脱水汚泥を乾燥させる具体的な乾燥方法は、特に限定されないものの、直接加熱型乾燥機を用いた方法であることが好ましい。直接加熱型乾燥機を用いることにより、空気等の水蒸気以外の成分が混ざっていない過熱蒸気を得ることができる。これにより、乾燥工程で得られた乾燥水蒸気を、熱交換工程において乾燥水蒸気と燃焼ガスとの間で熱交換して過熱蒸気とし、熱分解工程および乾燥工程で用いることができる。
【００７５】
乾燥工程では、乾燥汚泥の含水率を３重量％〜３０重量％とすることが好ましく、５重量％〜２０重量％とすることがより好ましく、１０重量％〜１５重量％とすることがさらに好ましい。これにより、熱分解工程において、装置の運転を安定化することができる。
【００７６】
＜熱分解工程＞
熱分解工程では、乾燥工程を経て得た前記乾燥汚泥を、水蒸気の存在下、４００℃〜９００℃、より好ましくは６００℃〜８００℃、さらに好ましくは７００℃程度で加熱しながら、０．１時間〜２時間、より好ましくは０．５時間〜１時間、滞留させることにより、熱分解する。即ち、熱分解工程での乾燥汚泥の加熱温度は４００℃〜９００℃、より好ましくは６００℃〜８００℃、さらに好ましくは７００℃程度であり、滞留時間は０．１時間〜２時間、より好ましくは０．５時間〜１時間である。熱分解工程では、後述する熱交換工程における熱交換の結果得られた過熱蒸気の一部を熱分解に用いる。つまり、熱分解工程で用いる水蒸気は、過熱蒸気を含む。これにより、過熱蒸気を有効活用することができる。
【００７７】
熱分解工程においては、上述した反応により熱分解を行い、熱分解固体生成物および熱分解ガスである可燃性ガスを生成する。熱分解して得た熱分解固体生成物は、燃焼工程に供される。そして、熱分解して得た可燃性ガスは、次の改質工程に供される。また、熱分解工程においては、改質工程で用いられた酸化カルシウム「ＣａＯ」が供給（循環）されると共に、必要に応じて、新たな無機カルシウム化合物の一部が供給される。
【００７８】
尚、乾燥汚泥を熱分解させる具体的な熱分解方法は、特に限定されない。
【００７９】
熱分解固体生成物に含まれるリン酸三カルシウムの融点は１３９０℃と高いため、熱分解工程および下記燃焼工程における、リン化合物の溶融による焼却炉への付着およびそれに伴う焼却炉の閉塞を防止することができる。それゆえ、水素製造方法をより安定して連続運転することが可能となる。
【００８０】
＜改質工程＞
改質工程では、熱分解工程で得られた可燃性ガスから、酸化カルシウムを用いた水蒸気改質を行うことによって上述した反応を行い、当該可燃性ガスよりも水素濃度を高めた第二の可燃性ガスを製造する。第二の可燃性ガスは、その一部をそのまま燃焼用ガスとして用いてもよいし、ＰＳＡ等のガス分離装置を用いて高濃度水素のみを分離した後のＣＯ２およびＣｍＨｎを主成分とするオフガスを燃焼用ガスとして用いてもよい。これにより、外部から供給する燃焼用ガスの量を削減することができる。製造した第二の可燃性ガスは、冷却され、高濃度の水素を含むガスとして回収される。第二の可燃性ガスから回収された熱は、燃焼工程に供給される。
【００８１】
改質工程では、熱分解工程を経て得た可燃性ガスを、８００℃〜１１００℃、より好ましくは８５０℃〜１０００℃、さらに好ましくは９５０℃程度で加熱しながら、０．５ｓ〜３ｓ、より好ましくは１ｓ〜２．５ｓ、滞留させることにより、水蒸気改質を行う。即ち、改質工程での可燃性ガスの加熱温度は８００℃〜１１００℃、より好ましくは８５０℃〜１０００℃、さらに好ましくは９５０℃程度であり、滞留時間は０．５ｓ〜３ｓ、より好ましくは１ｓ〜２．５ｓである。
【００８２】
また、改質工程においては、灰分分離工程にて分離された酸化カルシウム「ＣａＯ」が供給（循環）されると共に、必要に応じて、新たな無機カルシウム化合物の一部が供給される。さらに、改質工程で用いられた酸化カルシウムは、熱分解工程に供給（循環）される。
【００８３】
尚、前記可燃性ガスを水蒸気改質する具体的な改質方法は、特に限定されない。
【００８４】
＜燃焼工程＞
燃焼工程では、熱分解工程で得られた熱分解固体生成物を燃焼させることによって上述した反応を行い、燃焼生成物として、燃焼固体生成物および燃焼ガスを得る。燃焼固体生成物および燃焼ガスは、次の灰分分離工程に供給する。燃焼ガスには、高濃度の二酸化炭素が含まれる。燃焼工程においては、空気または酸素含有ガスと共に、熱源となる燃焼用ガスを外部から供給してもよいし、前記第二の可燃性ガスの一部または前記オフガスを供給してもよい。また、燃焼工程においては、必要に応じて、新たな無機カルシウム化合物の一部が供給される。
【００８５】
燃焼工程では、熱分解工程を経て得た熱分解固体生成物を、８５０℃〜１２００℃、より好ましくは９００℃〜１１５０℃、さらに好ましくは１１００℃程度で加熱しながら、０．１時間〜２時間、より好ましくは０．５時間〜１時間、滞留させることにより、燃焼する。即ち、燃焼工程での熱分解固体生成物の加熱温度は８５０℃〜１２００℃、より好ましくは９００℃〜１１５０℃、さらに好ましくは１１００℃程度であり、滞留時間は０．１時間〜２時間、より好ましくは０．５時間〜１時間である。
【００８６】
さらに、燃焼工程においては、必要に応じて、乾燥工程から上述した乾燥汚泥が供給される。当該乾燥汚泥は、燃焼工程において前記燃焼用ガスの燃焼による熱量だけで熱分解固体生成物の燃焼を行うことが困難である場合に、熱源として燃焼される。乾燥汚泥を燃焼させることにより、外部から供給される燃焼用ガスの量を削減することができるので、エネルギーの使用量を削減することができる。
【００８７】
尚、前記熱分解固体生成物を燃焼させる具体的な燃焼方法は、特に限定されない。
【００８８】
＜熱交換工程＞
熱交換工程では、乾燥工程で得られた乾燥水蒸気と、燃焼工程で排出された燃焼ガスとの間で熱交換する。熱交換工程では、乾燥水蒸気と燃焼ガスとの間で熱交換して得た過熱蒸気を、熱分解工程および乾燥工程に供給する。これにより、過熱蒸気を有効活用することができる。
【００８９】
尚、乾燥工程で得られた乾燥水蒸気を、燃焼工程で排出された燃焼ガスと熱交換する具体的な熱分解方法は、特に限定されない。
【００９０】
＜灰分分離工程＞
灰分分離工程では、燃焼工程で得られた燃焼固体生成物から、酸化カルシウムを主成分として含む粒子と、リン酸三カルシウム、石膏および灰分等を含む固体成分であるリン含有灰（酸化カルシウム以外の燃焼固体生成物）とを分離する。
【００９１】
一方、酸化カルシウムを主成分として含む粒子は、改質工程に供給される。これにより、酸化カルシウムは、改質工程、熱分解工程、燃焼工程および灰分分離工程を循環し、繰り返し利用され、上述した複数の役割を果たす。
【００９２】
尚、燃焼固体生成物を、酸化カルシウムを主成分として含む粒子と、それ以外の燃焼固体生成物とに分離する具体的な分離方法は、特に限定されないものの、例えばサイクロンを用いた分離方法が好ましい。
【００９３】
本実施の形態に係る水素製造方法は、リン酸三カルシウムを含むリン含有灰を回収してもよい。そのため、本実施の形態に係る水素製造方法は、灰分分離工程で得られたリン酸三カルシウムを含むリン含有灰に酸を添加して、リン酸三カルシウムと反応させ、リン酸および酸およびリン酸二水素カルシウム等の溶解性リン酸化合物を製造するリン酸製造工程をさらに含んでいてもよい。
【００９４】
〔実施例〕
以下、上述した水素製造装置および水素製造方法を用いた実施例に関して説明する。
【００９５】
＜実施条件＞
表１に、実施条件の一例をまとめて示す。乾燥固体量および水分量は、脱水汚泥、乾燥汚泥、または水分調整物１ｋｇを１０５℃に設定した乾燥機内で一昼夜乾燥し、乾燥前後の重量差から算出した。また、表２に、乾燥装置で得られた乾燥水蒸気量、熱分解装置およびコンデンサへの過熱蒸気の供給量、熱分解装置および燃焼装置への乾燥汚泥（１０．１重量％Ｗ．Ｂ．）の供給量、並びに酸化カルシウム循環量、水素の製造量を示す。
【００９６】
スラリー濃度２．５重量％の汚泥スラリー２００ｔ／ｄ（乾燥固体量５．００ｔ／ｄ、水分量１９５ｔ／ｄ）を脱水装置で脱水して含水率７０．４重量％の脱水汚泥１６．９ｔ／ｄ（乾燥固体量５．０ｔ／ｄ、水分量１１．９ｔ／ｄ）を得た。含水率７０．４重量％の脱水汚泥１６．９ｔ／ｄを乾燥装置で乾燥して含水率１０．１重量％の乾燥汚泥５．５５ｔ／ｄと、乾燥水蒸気１１．３０ｔ／ｄとを得た。含水率１０．１重量％の乾燥汚泥５．５５ｔ／ｄのうち、３．１１ｔ／ｄを熱分解装置に供給し、２．４４ｔ／ｄを燃焼装置に供給した。熱分解装置に供給した含水率１０．１重量％の乾燥汚泥３．１１ｔ／ｄを７００℃で熱分解した。燃焼装置に供給した含水率１０．１重量％の乾燥汚泥２．４４ｔ／ｄを１１００℃で燃焼した。また、熱交換装置によって、乾燥水蒸気と、燃焼装置で排出された燃焼ガスとの間で熱交換し、得られた過熱蒸気のうち、３．６１ｔ／ｄを熱分解装置に供給し、７．６９ｔ／ｄをコンデンサに供給した。過熱蒸気７．６９ｔ／ｄをコンデンサで冷却して凝縮させた。コンデンサから排出された排水を濾過して再利用水とし、３．５ｔ／ｄを熱分解装置に供給した。
【００９７】
【表１】
2020128326.tif 000003
【００９８】
【表２】
2020128326.tif 000004
【００９９】
表２に示すように、本実施例によって、３８５０Ｎｍ３−Ｈ２／ｄ（０．７７Ｎｍ３−Ｈ２／ＤＳ）の水素を含むガスを製造することができた。
【０１００】
前記結果から、本発明の一態様によれば、乾燥装置で得られた乾燥水蒸気を過熱蒸気として有効活用することにより、系外から水蒸気を供給しなくても水素を製造することができることが分かった。それゆえ、本発明の一態様によれば、リン含有バイオマスを乾燥することによって得られる水蒸気を有効活用することができる水素製造装置および水素製造方法を提供することができることが分かった。
【０１０１】
〔まとめ〕
本発明には、以下の構成が包含されている。
＜１＞
リン含有バイオマスから水素を製造する水素製造方法であって、
前記リン含有バイオマスを脱水する脱水工程と、
前記脱水工程で得られた脱水汚泥に含まれる水分を蒸発させる乾燥工程と、
前記乾燥工程で得られた乾燥汚泥を、水蒸気の存在下で熱分解する熱分解工程と、
前記熱分解工程で得られた熱分解固体生成物を燃焼する燃焼工程と、
前記乾燥工程で得られた水蒸気と、前記燃焼工程で排出された燃焼ガスとの間で熱交換する熱交換工程と、を含み、
前記熱分解工程では、前記熱交換工程における熱交換の結果得られた過熱蒸気の一部を熱分解に用いる水素製造方法。
＜２＞
前記乾燥工程では、前記熱分解工程で利用されなかった過熱蒸気を熱媒として用いる、＜１＞に記載の水素製造方法。
＜３＞
前記乾燥工程では、直接加熱型乾燥機を用いる、＜１＞または＜２＞に記載の水素製造方法。
＜４＞
前記乾燥工程では、前記乾燥汚泥の含水率を３重量％〜３０重量％とする、＜１＞〜＜３＞の何れか一つに記載の水素製造方法。
＜５＞
前記乾燥工程よりも前に、前記リン含有バイオマスを脱水して、含水率を７０重量％〜８０重量％とする脱水工程をさらに含む、＜１＞〜＜４＞の何れか一つに記載の水素製造方法。
＜６＞
前記熱分解工程で得られた可燃性ガスから、酸化カルシウムを用いた水蒸気改質によって、前記可燃性ガスよりも水素濃度を高めた可燃性ガスを製造する改質工程をさらに含む、＜１＞〜＜５＞の何れか一つに記載の水素製造方法。
＜７＞
前記リン含有バイオマスに無機カルシウム化合物を混合する混合工程をさらに含む、＜１＞〜＜６＞の何れか一つに記載の水素製造方法。
＜８＞
前記燃焼工程で得られた燃焼生成物からリン含有灰を分離する灰分分離工程をさらに含む、＜１＞〜＜７＞の何れか一つに記載の水素製造方法。
＜９＞
リン含有バイオマスから水素を製造する水素製造装置であって、
前記リン含有バイオマスを脱水する脱水装置と、
前記脱水装置で得られた脱水汚泥に含まれる水分を蒸発させる乾燥装置と、
前記乾燥装置で得られた乾燥汚泥を、水蒸気の存在下で熱分解する熱分解装置と、
前記熱分解装置で得られた熱分解固体生成物を燃焼する燃焼装置と、
前記乾燥装置で得られた水蒸気と、前記燃焼装置で排出された燃焼ガスとの間で熱交換する熱交換装置と、を含み、
前記熱分解装置は、前記熱交換装置による熱交換の結果得られた過熱蒸気の一部を熱分解に用いる水素製造装置。
【産業上の利用可能性】
【０１０２】
本発明の一実施の形態に係る水素製造方法および水素製造装置は、例えば、下水処理場で発生する下水汚泥、し尿処理場で発生するし尿汚泥、肉骨粉、畜糞等のリン含有バイオマスを原料とする水素の製造において好適に用いられる。
【符号の説明】
【０１０３】
１  脱水装置（混合装置）
２  乾燥装置
３  熱分解装置
４  改質装置
５  燃焼装置
６  灰分分離装置
９  熱交換装置
【図１】
2020128326.tif 000005